(57)【要約】【課題】外観を低下させることなく作業性を向上させた分電盤を提供する。【解決手段】分電盤Ａは、前面に開口部１ｂが設けられて、内部に主幹ブレーカ３および複数の分岐ブレーカ４が収納されるケース本体１と、ケース本体１の前面において開口部１ｂの周りの枠部１ａに支持されて、開口部１ｂを開閉自在に閉塞する２個１組の中扉２，２とを備えており、ケース本体１には、枠部１ａから上側面部１ｃにかけて連続的に形成されたＵ字状の配線溝１ｄが設けられている。また、本分電盤Ａには、枠部１ａにおいて配線溝１ｄの形成部位を閉塞するようにケース本体１に着脱自在に取着される目隠し部材５が設けられており、この目隠し部材５により分電盤Ａへの入線部分を隠すことで外観の低下を抑えることができる。【選択図】図１
2011036036.tif 000002
【特許請求の範囲】
【請求項１】
前面に開口部が設けられて、内部にブレーカが収納されるケース本体と、ケース本体の前面において開口部の周りの枠部に支持されて、開口部を開閉自在に閉塞する扉体とを備え、前記ケース本体には、前記枠部から側面部にかけて連続的に形成されたＵ字状の配線溝が設けられており、前記枠部において配線溝の形成部位を閉塞するように前記ケース本体に着脱自在に取着される目隠し部材を設けたことを特徴とする分電盤。
【請求項２】
前面に開口部が設けられて、内部にブレーカが収納されるケース本体と、ケース本体の前面において開口部の周りの枠部に支持されて、開口部を開閉自在に閉塞する扉体とを備え、前記ケース本体には、前記枠部から側面部にかけて連続的に形成されたＵ字状の配線溝が設けられており、前記側面部に形成された配線溝の開放端側を閉塞するように前記側面部に着脱自在に取着される電線保持部材を設けたことを特徴とする分電盤。
【請求項３】
前記側面部に、前記電線保持部材を固定するための固定手段が前後方向に沿って複数箇所設けられたことを特徴とする請求項２記載の分電盤。
【発明の詳細な説明】
【技術分野】
【０００１】
本発明は、分電盤に関するものである。
【背景技術】
【０００２】
従来より、主幹ブレーカや複数の分岐ブレーカを内器として筐体内に収納した分電盤が提供されている（例えば特許文献１参照）。この分電盤では、筐体の上側面または下側面に配線孔が設けられており、負荷側からの電線が上記配線孔を通して筐体内に入線され、各ブレーカにそれぞれ接続される。
【先行技術文献】
【特許文献】
【０００３】
【特許文献１】特開２００３−１６４０２１号公報（段落［００１８］、及び、第２図）
【発明の概要】
【発明が解決しようとする課題】
【０００４】
近年では１つの分電盤に収納される分岐回路（分岐ブレーカ）が増加する傾向にあり、そのため各分岐回路に接続される電線も増加する傾向にある。したがって、上述の特許文献１に示した分電盤では、配線孔に通す電線の数が増えることから配線作業に時間を要するものであった。
【０００５】
本発明は上記問題点に鑑みて為されたものであり、その目的とするところは、外観を低下させることなく作業性を向上させた分電盤を提供することにある。
【課題を解決するための手段】
【０００６】
請求項１の発明は、前面に開口部が設けられて、内部にブレーカが収納されるケース本体と、ケース本体の前面において開口部の周りの枠部に支持されて、開口部を開閉自在に閉塞する扉体とを備え、ケース本体には、枠部から側面部にかけて連続的に形成されたＵ字状の配線溝が設けられており、枠部において配線溝の形成部位を閉塞するようにケース本体に着脱自在に取着される目隠し部材を設けたことを特徴とする。
【０００７】
請求項２の発明は、前面に開口部が設けられて、内部にブレーカが収納されるケース本体と、ケース本体の前面において開口部の周りの枠部に支持されて、開口部を開閉自在に閉塞する扉体とを備え、ケース本体には、枠部から側面部にかけて連続的に形成されたＵ字状の配線溝が設けられており、側面部に形成された配線溝の開放端側を閉塞するように側面部に着脱自在に取着される電線保持部材を設けたことを特徴とする。
【０００８】
請求項３の発明は、側面部に、電線保持部材を固定するための固定手段が前後方向に沿って複数箇所設けられたことを特徴とする。
【発明の効果】
【０００９】
請求項１の発明によれば、分電盤に入線する場合、電線を前面側から配線溝に挿通するだけでいいので、従来例に比べて電線を配線孔に挿通させる手間を省くことができ、その結果作業性の向上が図れるという効果がある。また、分電盤への入線部分を目隠し部材によって隠すことで外観の低下を抑えることができ、さらに配線溝の開放端を目隠し部材で固定しているため、電線からの力が端縁部分に加わって配線溝が経年変形するのを防止することもできるという効果がある。
【００１０】
請求項２の発明によれば、分電盤に入線する場合、電線を前面側から配線溝に挿通するだけでいいので、従来例に比べて電線を配線孔に挿通させる手間を省くことができ、その結果作業性の向上が図れるという効果がある。また、電線保持部材によって電線を保持できるため、電線からの力がブレーカに加わって電線が外れるのを防止することができ、さらに配線溝の開放端を電線保持部材で固定しているため、電線からの力が端縁部分に加わって配線溝が経年変形するのを防止することもできるという効果がある。
【００１１】
請求項３の発明によれば、電線保持部材の取付位置が変更できるので、電線の線径や本数にかかわらず、電線を確実に保持することができるという効果がある。
【図面の簡単な説明】
【００１２】
【図１】実施形態１の分電盤を示し、（ａ）は正面図、（ｂ）は上面図である。
【図２】同上から中扉を取り外した状態を示し、（ａ）は正面図、（ｂ）は上面図である。
【図３】同上から中扉および目隠し部材を取り外した状態を示し、（ａ）は正面図、（ｂ）は上面図である。
【図４】（ａ）〜（ｄ）は同上に電線を組み込んだ状態を示す状態図である。
【図５】同上の要部詳細図である。
【図６】実施形態２の分電盤から中扉を取り外した状態を示し、（ａ）は正面図、（ｂ）は上面図である。
【図７】（ａ），（ｂ）は同上に電線を組み込んだ状態を示す状態図である。
【図８】（ａ），（ｂ）は同上の要部詳細図である。
【図９】同上の他の例を示し、（ａ）は中扉を取り外した状態の正面図、（ｂ）は上面図である。
【図１０】（ａ），（ｂ）は同上の他の例の要部詳細図である。
【発明を実施するための形態】
【００１３】
以下に、本発明に係る分電盤の実施形態を図面に基づいて説明する。本発明に係る分電盤は、例えばビルや工場などに設置される非住宅用の分電盤として用いられるものであり、内部に収納した主幹ブレーカまたは複数の分岐ブレーカがそれぞれ必要に応じてオン／オフされる。なお、以下の説明では特に断りがない場合、図１（ａ）に示す向きにおいて上下左右の方向を規定し、図１（ａ）の正面を前面という。したがって、図１（ｂ）の上側が後面となる。
【００１４】
（実施形態１）
図１（ａ）は本実施形態の分電盤Ａの正面図であり、本分電盤Ａは、前面に縦長矩形状の開口部１ｂが設けられたケース本体１と、ケース本体１の内部に収納される主幹ブレーカ３および複数の分岐ブレーカ４と、ケース本体１の左右方向両端部においてそれぞれ開閉自在に軸支され、主幹ブレーカ３および分岐ブレーカ４の前面側を覆う２個１組の中扉（扉体）２，２と、後述の目隠し部材５と、図示は省略しているが後述の枠部１ａ内に開閉自在に配置される外扉とを備えている。なお、主幹ブレーカ３および分岐ブレーカ４については従来周知のものを採用しており、詳細な説明については省略する。
【００１５】
ケース本体１は、図２（ａ）および図３（ａ）に示すように縦長の矩形箱状であって、前面において開口部１ｂの周りには、断面視の形状がクランク状に形成された枠部（図５参照）１ａが全周に渡って設けられている。また、ケース本体１には、上側面部（側面部）１ｃから枠部１ａにかけて連続的に形成された略Ｕ字状の配線溝１ｄ（図１（ｂ）、図２（ｂ）および図３（ｂ）参照）が開口部１ｂと連通する形で設けられている。すなわち、本実施形態の分電盤Ａでは、電線１８を前面側から配線溝１ｄに挿通させるだけでケース本体１内に入線できるようになっている。
【００１６】
また、ケース本体１の背面部１ｅには、図２（ａ）および図３（ａ）に示すように、縦長の固定台６が左右方向に複数（本実施形態では４本）配置されており、２本１組で１つの固定台を構成している。背面部１ｅの右寄りに配置された固定台６，６の上方位置には、主幹ブレーカ３を取り付けるための支持台８がねじ固定されており、また支持台８の下方位置には、分岐ブレーカ４を取り付けるための取付ベース９，９が上下方向に並べてねじ固定されている。そして、各取付ベース９にはそれぞれ複数の分岐ブレーカ４が取り付けられ、その結果複数の分岐ブレーカ４が上下方向に並べて配置されることになる（図２（ａ）および図３（ａ）参照）。
【００１７】
一方、背面部１ｅの左寄りに配置された固定台６，６の上方位置には、３極の端子台１１を取り付けるための支持台１０がねじ固定されており、また支持台１０の下方位置には、分岐ブレーカ４を取り付けるための取付ベース９，９が上下方向に並べてねじ固定されている。そして、各取付ベース９にはそれぞれ複数の分岐ブレーカ４が取り付けられ、その結果複数の分岐ブレーカ４が上下方向に並べて配置されることになる。
【００１８】
また、主幹ブレーカ３の３極の２次側端子には、それぞれ互いに長さの異なる金属製の接続バー１２の一端側が電気的に接続されており、各接続バー１２の他端側には、それぞれ上下方向に延出する板状の導電バー１３が電気的に接続されている。なお、各導電バー１３は、前後方向（図２（ａ）中の紙面に垂直な方向）において異なる高さ位置に配設されており、各分岐ブレーカ４を取付ベース９に取り付けた状態では、各分岐ブレーカ４の側面部に設けた３つのプラグインアダプタ（図示せず）と、対応する導電バー１３とがそれぞれ電気的に接続されるようになっている。
【００１９】
一方、端子台１１の３極の２次側端子には、それぞれ互いに長さの異なる金属製の接続バー１４の一端側が電気的に接続されており、各接続バー１４の他端側には、それぞれ上下方向に延出する板状の導電バー１５が電気的に接続されている。なお、各導電バー１５は、前後方向（図２（ａ）中の紙面に垂直な方向）において異なる高さ位置に配設されており、各分岐ブレーカ４を取付ベース９に取り付けた状態では、各分岐ブレーカ４の側面部に設けた３つのプラグインアダプタ（図示せず）と、対応する導電バー１５とがそれぞれ電気的に接続されるようになっている。
【００２０】
そして、本実施形態の分電盤Ａでは、図２（ａ）および図３（ａ）に示すように、すべての分岐ブレーカ４が、その２次側（負荷側）端子を中央側に向けた状態で配置されている。ここにおいて、上記の端子台１１の１次側端子には、例えば電線（図示せず）を介して主幹ブレーカ３の２次側端子が接続されたり、また負荷側からの電線（図示せず）が直接接続される。
【００２１】
各中扉２は、図１（ａ）に示すように、その左右寸法がケース本体１の開口部１ｂの左右寸法の略半分に設定され、両中扉２，２により所謂観音扉を構成している。右側の中扉２は、ケース本体１の右側端部で軸部７（図２（ａ）参照）により開閉自在に軸支されており、また主幹ブレーカ３に対応する部位には主幹ブレーカ３の機能面を露出させる操作窓２ａが設けられるとともに、各分岐ブレーカ４に対応する部位には各分岐ブレーカ４の機能面を露出させる操作窓２ｂが設けられている。したがって、本実施形態の分電盤Ａでは、中扉２を閉じた状態でも主幹ブレーカ３および分岐ブレーカ４をオン／オフすることができる。
【００２２】
また、左側の中扉２は、ケース本体１の左側端部で軸部７（図２（ａ）参照）により開閉自在に軸支されており、さらに各分岐ブレーカ４に対応する部位には各分岐ブレーカ４の機能面を露出させる操作窓２ｂが設けられている。
【００２３】
ここにおいて、本実施形態の分電盤Ａでは、上述したようにケース本体１において配線溝１ｄと開口部１ｂとが連通する形で設けられているため、前面側から開放部を通して配線溝１ｄ内に電線１８を挿通できるから配線作業は容易になるが、図４（ａ）および図４（ｂ）に示すように、各分岐ブレーカ４にそれぞれ接続された電線１８の入線部分が前方から見えてしまい、外観を損ねることになる。そこで、本実施形態では、外観の低下を抑えることを目的として、枠部１ａにおける配線溝１ｄの形成部位を閉塞するように目隠し部材５をケース本体１に取り付けている。
【００２４】
この目隠し部材５は、図５に示すように枠部１ａの形状に沿うようにクランク状に折曲形成され、その長さ寸法（左右寸法）は枠部１ａの切欠寸法よりもわずかに長い寸法に設定されている。そして、この目隠し部材５は、固定ねじ１６を用いて上側面部１ｃにねじ固定されるとともに、固定ねじ１７を用いて枠部１ａにねじ固定され、ケース本体１に取り付けられる。その結果、この目隠し部材５をケース本体１に取り付けた状態では、図４（ｃ）および図４（ｄ）に示すように電線１８の入線部分を隠すことができ、外観の低下を抑えることができる。なお、この目隠し部材５は、ケース本体１に対して着脱自在になっており、すべての電線１８をまとめて配線溝１ｄに挿通した後、ケース本体１に取り付けることになる。
【００２５】
而して、本実施形態によれば、分電盤Ａに入線する場合、電線１８を前面側から配線溝１ｄに挿通するだけでいいので、従来例に比べて電線を配線孔に挿通させる手間を省くことができ、その結果作業性の向上が図れる。また、分電盤Ａへの入線部分を目隠し部材５によって隠すことで外観の低下を抑えることができ、さらに配線溝１ｄの左右両側縁間を目隠し部材５で連結しているので、上側面部１ｃの強度を高めることができ、その結果電線１８からの力が端縁部分に加わって配線溝１ｄが経年変形するのを防止することもできる。
【００２６】
さらに、本実施形態の分電盤Ａのように、２次側端子が中央側となるように分岐ブレーカ４を配置した場合には、負荷側からの電線１８を接続する際の作業スペースを広く取れるため手が入り易くなり、その結果作業性がさらに向上する。また、分岐ブレーカ４の２次側端子が外側となるように分岐ブレーカ４を配置した場合には、負荷側からの電線１８を左右に振り分ける必要があるが、本実施形態によればこの手間を省くこともでき、作業性がさらに向上する。
【００２７】
（実施形態２）
図６（ａ）は本実施形態の分電盤Ａの正面図であり、実施形態１では枠部１ａにおける配線溝１ｄの形成部位を閉塞するための目隠し部材５を設けたが、本実施形態では配線溝１ｄ内に挿通された電線１８を保持するための電線保持部材１９を設けている。なお、それ以外の構成については実施形態１と同様であり、同一の構成要素には同一の符号を付して説明は省略する。
【００２８】
本実施形態の分電盤Ａは、ケース本体１と、主幹ブレーカ３および複数の分岐ブレーカ４と、中扉および外扉（ともに図示せず）と、目隠し部材５と、電線１８を保持するための電線保持部材１９とを備えており、ケース本体１には、実施形態１と同様に上側面部１ｃから枠部１ａにかけて連続的に形成された略Ｕ字状の配線溝１ｄ（図６（ｂ）および図７（ｂ）参照）が開口部１ｂと連通する形で設けられている。なお、上記の目隠し部材５は設けなくてもよい。
【００２９】
電線保持部材１９は、図８（ａ）および図８（ｂ）に示すように横長の矩形板状であって、長手方向両端部には固定ねじ２０が挿通されるねじ挿通孔（図示せず）が設けられている。一方、上側面部１ｃにおいて配線溝１ｄの左右方向両端縁には、それぞれ固定ねじ２０が螺合するねじ孔１ｆが前後方向（図８（ｂ）中の上下方向）に沿って複数箇所設けられている。すなわち、本実施形態では、使用するねじ孔１ｆを変えることによって、電線保持部材１９の上側面部１ｃへの取付位置が変更できるようになっている。ここに、上記のねじ孔１ｆにより固定手段が構成されている。
【００３０】
そして、図７（ａ）のように、負荷側からの各電線１８を配線溝１ｄに挿通させた後、対応する分岐ブレーカ４にそれぞれ接続し、さらに電線保持部材１９を上側面部１ｃの所定位置に取り付けると、電線１８が電線保持部材１９により保持され、配線作業が完了する。なおこのとき、電線１８は、電線保持部材１９と配線溝１ｄの後端縁との間で挟持されているため（図７（ｂ）参照）、電線１８からの力が各分岐ブレーカ４に加わるのを防止することができる。
【００３１】
而して、本実施形態によれば、分電盤Ａに入線する場合、電線１８を前面側から配線溝１ｄに挿通するだけでいいので、従来例に比べて電線を配線孔に挿通させる手間を省くことができ、その結果作業性の向上が図れる。また、電線保持部材１９によって電線１８を保持できるため、電線１８からの力が分岐ブレーカ４に加わって電線１８が外れるのを防止することができ、さらに配線溝１ｄの左右両側縁間を電線保持部材１９で連結しているので、上側面部１ｃの強度を高めることができ、その結果電線１８からの力が端縁部分に加わって配線溝１ｄが経年変形するのを防止することもできる。さらに、電線保持部材１９の取付位置が変更できるので、電線１８の線径や本数にかかわらず、電線１８を確実に保持することができる。
【００３２】
なお、本実施形態では、ねじ孔１ｆを固定手段としたが、固定手段は本実施形態に限定されるものではなく、電線保持部材１９の取付位置が変更できるものであれば、他のものであってもよい。
【００３３】
次に、図９および図１０は本実施形態の分電盤Ａの他の例を示しており、上述した図７および図８に示した分電盤Ａでは、電線保持部材１９と配線溝１ｄの後端縁との間で電線１８を挟持させることで電線１８を保持しているが、本例では配線溝１ｄの周縁部に固定されたコ字型の電線保持金具２１に結束バンド２２を用いて電線１８を固定することで電線１８を保持している。なお、それ以外の構成は上記例と同様であり、同一の構成要素には同一の符号を付して説明は省略する。
【００３４】
本例の分電盤Ａは、ケース本体１と、主幹ブレーカ３および複数の分岐ブレーカ４と、中扉および外扉（ともに図示せず）と、電線１８を保持するための電線保持金具２１とを備えている。
【００３５】
電線保持金具２１は、図９（ａ）および図９（ｂ）に示すように略コ字型であって、配線溝１ｄの前面側を除く３辺に各辺部が沿うようにして配置されている。また、電線保持金具２１の各辺部には、図１０（ａ）および図１０（ｂ）に示すように複数の貫通孔２１ａがそれぞれ設けられており、何れかの貫通孔２１ａに挿通させた結束バンド２２を介して電線１８が電線保持金具２１に固定されるのである。その結果、上記例と同様に、電線１８からの力が各分岐ブレーカ４に加わるのを防止することができる。
【００３６】
而して、本例によれば、電線保持金具２１および結束バンド２２によって電線１８を保持できるため、電線１８からの力が分岐ブレーカ４に加わって電線１８が外れるのを防止することができる。
【符号の説明】
【００３７】
１  ケース本体
１ａ  枠部
１ｂ  開口部
１ｃ  上側面部（側面部）
１ｄ  配線溝
２  中扉（扉体）
３  主幹ブレーカ（ブレーカ）
４  分岐ブレーカ（ブレーカ）
５  目隠し部材
Ａ  分電盤
【図１】
2011036036.tif 000003
【図２】
2011036036.tif 000004
【図３】
2011036036.tif 000005
【図４】
2011036036.tif 000006
【図５】
2011036036.tif 000007
【図６】
2011036036.tif 000008
【図７】
2011036036.tif 000009
【図８】
2011036036.tif 000010
【図９】
2011036036.tif 000011
【図１０】
2011036036.tif 000012